(57)【要約】【課題】輻輳の発生を回避し通信資源の使用率を平均化することができるだけでなく、本来の通信資源の使用率に応じた通信料金を設定することができる通信資源割当装置を得ること。【解決手段】サーバは、入札価格付きの呼接続要求に基づいて端末に回線を割り当てた後の割当後回線使用率を算出し、算出した割当後回線使用率に基づいて最低価格を設定し、呼接続要求および設定した最低価格に基づいて、回線を割り当てる端末および回線の割当価格を決定し、決定した端末に、決定した割当価格の通信料金で回線を割り当てる。【選択図】図５
2010098639.tif 000002
【特許請求の範囲】
【請求項１】
通信資源を割り当てるユーザ端末を前記ユーザ端末から提示された提示価格に基づいて決定し、決定した前記ユーザ端末に前記通信資源を割り当てる通信資源割当装置であって、
前記通信資源への接続要求に関する接続要求情報および前記提示価格を含む前記ユーザ端末から送信された価格付接続要求情報を記憶する記憶手段と、
前記記憶手段で記憶した前記価格付接続要求情報に含まれる前記接続要求情報に基づいて、前記通信資源の使用率であって当該接続要求情報に対応する前記ユーザ端末に前記通信資源を割り当てた後のものである割当後使用率を算出する算出手段と、
前記算出手段で算出した前記割当後使用率に基づいて、前記通信資源を割り当てる前記ユーザ端末を決定する際の条件価格を設定する価格設定手段と、
前記記憶手段で記憶した前記価格付接続要求情報および前記価格設定手段で設定した前記条件価格に基づいて、前記通信資源を割り当てる前記ユーザ端末および前記通信資源の割当価格を決定する決定手段と、
前記決定手段で決定した前記ユーザ端末に、前記決定手段で決定した前記割当価格の通信料金で前記通信資源を割り当てる割当手段と、
を備えたことを特徴とする通信資源割当装置。
【請求項２】
前記決定手段は、
前記価格設定手段で設定した前記条件価格を、前記価格付接続要求情報を送信した前記ユーザ端末に通知する条件価格通知手段と、
前記条件価格通知手段で行った前記通知に対する応答を、当該通知から所定時間または前記算出手段で算出した前記割当後使用率に基づいて設定した時間が経過するまでの間受信する条件価格応答受信手段と、
前記条件価格応答受信手段で前記応答を受信しなかった場合、前記条件価格通知手段で通知した前記条件価格から所定金額または前記算出手段で算出した前記割当後使用率に基づいて設定した金額を減額する価格減額手段と、
をさらに備え、
前記条件価格応答受信手段で前記応答を受信するまで前記条件価格を前記価格減額手段で減額しながら前記条件価格通知手段で前記ユーザ端末に通知し、前記条件価格応答受信手段で前記応答を受信した場合、当該応答を送信した前記ユーザ端末を前記通信資源を割り当てる前記ユーザ端末として決定すると共に、当該応答の元となる前記通知で指定した前記条件価格を前記割当価格として決定すること
を特徴とする請求項１に記載の通信資源割当装置。
【請求項３】
前記価格減額手段は、減額した後の前記条件価格が、前記算出手段で算出した前記割当後使用率に基づいて設定した下限価格を下回った場合、前記条件価格の減額を停止する、または前記条件価格を当初の前記条件価格にリセットすること
を特徴とする請求項２に記載の通信資源割当装置。
【請求項４】
前記決定手段で決定した前記割当価格を、前記決定手段で決定した前記ユーザ端末に通知する割当価格通知手段と、
前記割当価格通知手段で行った前記通知に対する応答を、当該通知から所定時間が経過するまでの間受信する割当価格応答受信手段と
をさらに備え、
前記割当手段は、前記割当価格応答受信手段で前記応答を受信した場合、前記決定手段で決定した前記ユーザ端末に、前記決定手段で決定した前記割当価格の前記通信料金で前記通信資源を割り当てること
を特徴とする請求項１から３のいずれか１つに記載の通信資源割当装置。
【請求項５】
前記割当手段で前記通信資源を割り当てたときからの経過時間に基づいて、前記決定手段で決定した前記割当価格を基準として前記通信料金を増額する料金増額手段、および／または
前記割当手段で前記通信資源を割り当てたときからの経過時間が、前記算出手段で算出した前記割当後使用率に基づいて設定した最大通信可能時間を超えたとき、前記割当手段で前記通信資源を割り当てた前記ユーザ端末への前記通信資源の割り当てを切断する切断手段
をさらに備えたこと
を特徴とする請求項１から４のいずれか１つに記載の通信資源割当装置。
【請求項６】
前記算出手段、前記価格設定手段、前記決定手段を所定の時間周期で繰り返し起動し、
前記算出手段で算出した前記割当後使用率に基づいて、前記所定の時間を変更する時間変更手段をさらに備えたこと
を特徴とする請求項１から５のいずれか１つに記載の通信資源割当装置。
【請求項７】
前記決定手段で決定した前記ユーザ端末以外の前記ユーザ端末の前記価格付接続要求情報を前記記憶手段に保持する決定保持手段
をさらに備えたことを特徴とする請求項６に記載の通信資源割当装置。
【請求項８】
前記割当手段で前記通信資源を割り当てたときからの経過時間が、前記算出手段で算出した前記割当後使用率に基づいて設定した最大通信可能時間未満の所定時間を超えたとき、前記割当手段で前記通信資源を割り当てた前記ユーザ端末に、前記通信資源の割り当てを継続するか否かを通知する継続通知手段と、
前記継続通知手段で行った前記通知に対する応答を、当該通知から前記最大通信可能時間が経過するまでの残り時間の間受信する継続応答受信手段と、
前記継続応答受信手段で前記応答を受信した場合であって当該応答が前記通信資源の割り当てを継続するというものであったとき、前記割当手段で前記通信資源を割り当てた前記ユーザ端末の前記価格付接続要求情報を前記記憶手段に保持する継続保持手段と、
をさらに備えたことを特徴とする請求項６または７に記載の通信資源割当装置。
【請求項９】
前記接続要求情報は、基地局を一意に識別するための基地局識別情報をさらに含み、
前記算出手段は、前記接続要求情報に基づいて、前記基地局単位の前記割当後使用率を算出し、
前記価格設定手段は、前記算出手段で算出した前記基地局単位の前記割当後使用率に基づいて、前記基地局単位の前記条件価格を設定し、
前記価格設定手段で設定した前記基地局単位の前記条件価格を、当該基地局に位置登録している前記ユーザ端末に報知する報知手段をさらに備えたこと
を特徴とする請求項１から８のいずれか１つに記載の通信資源割当装置。
【発明の詳細な説明】
【技術分野】
【０００１】
本発明は、ユーザ端末に通信資源を割り当てる通信資源割当装置に関する。
【背景技術】
【０００２】
携帯電話事業において定額制２４時間音声通話サービスに対するユーザのニーズが高まっている。また、通信インフラを持たなくても携帯電話事業に参入することができるようになった。一方で、トラフィックの爆発的な増大に因る輻輳の増加が懸念される。
【０００３】
この懸念に対し回線設備の増強や時間条件付きの定額制通話サービスの導入といった対応策が考えられるが、設備投資には多額の費用と多大な時間がかかり、時間条件付きの定額制通話サービスではユーザのニーズを十分に満たすことが困難と思慮されるため、の懸念に対する新たな対応策が求められている。
【０００４】
ここで、回線の使用率の平均化や通話チャネルの負荷均等化を実現するための技術として（特許文献１）や（特許文献２）が開示されている。（特許文献１）には、移動体端末から発呼すると、発呼時点における通話チャネルの使用率に応じて定められた単位時間当たりの通話料金を移動体端末に送信し、移動体端末の表示手段に表示する、セルラー方式移動体電話システムにおける課金指数表示方式に関する技術が開示されている。（特許文献２）には、回線混雑度としての使用回線数を測定し、測定した使用回線数が所定値よりも多い場合には回線が混雑していることを通話中の加入者に知らせ、当該通話が当該知らせ以降も継続されている場合であって当該測定した使用回線数が所定値以上のときには通話料金を割増する、公衆回線の課金システムに関する技術が開示されている。
【０００５】
また、セルラーに通信資源を割り当てる技術として（特許文献３）が開示されている。（特許文献３）には、優先度を持つ競合する複数の加入者についてオークション手続きを実行して最高レベルの優先度を持つ加入者を判定し、判定された加入者に対して通信資源を割り当てる通信資源割当装置に関する技術が開示されている。これにより、利用できる通信資源をトラフィック量に関係なく衝突無しに短時間の内に加入者に割り当てることができる。
【特許文献１】特開平２−２７６３９６号公報
【特許文献２】特開平４−２４２３６６号公報
【特許文献３】特開平５−２５２１０１号公報
【発明の開示】
【発明が解決しようとする課題】
【０００６】
しかしながら、（特許文献１）によれば、表示された通話料金で通話するか否かの判断は移動体端末を操作する者に委ねられているので、表示された通話料金を承諾した者の移動体端末からの通話が同時に集中した場合には輻輳が発生する虞があり回線の使用率の平均化は困難であるという問題点がある。また、（特許文献２）によれば、知らせた混雑状況で通話を継続するか否かの判断は加入者に委ねられているので、知らせた混雑状況を承知した者からの通話継続が同時に集中した場合には輻輳が発生する虞があり通話チャネルの負荷均等化は困難であるという問題点がある。
【０００７】
そこで、（特許文献３）を応用すれば、各セルラーに予め定められている優先度に基づいて通信資源を割り当てるセルラーを判定するので、複数のセルラーからの要求に因り競合している場合において輻輳の抑制が図れると思料される。
【０００８】
しかしながら、（特許文献１）によれば、表示された通話料金は“発呼時点での使用率”に応じて定められたものなので、当該通話料金を承諾した者の移動体端末からの通話が同時に集中した場合には通話料金が本来の使用率に応じたものから乖離する虞があるという問題点がある。また、（特許文献２）によれば、通話料金の割増は“回線混雑を知らせる前に測定した使用回線数”で判定しているので、当該知らせ以降にさらに他の通話が同時に集中した場合には通話料金が本来の使用回線数に応じたものから乖離する虞があるという問題点がある。なお、（特許文献３）によれば、優先度を金額と仮定したとしても当該優先度（金額）は加入者のセルラーに予め定められているものなので、（特許文献１）および（特許文献２）の当該問題点を解決することは困難であると思料される。
【０００９】
本発明は、上記問題点に鑑みてなされたものであって、輻輳の発生を回避し通信資源の使用率を平均化することができるだけでなく、本来の通信資源の使用率に応じた通信料金を設定することができる通信資源割当装置を提供することを目的とする。
【課題を解決するための手段】
【００１０】
上述した課題を解決し上述した目的を達成するために、本発明は、通信資源への接続要求に関する接続要求情報および提示価格を含むユーザ端末から送信された価格付接続要求情報を記憶し、記憶した価格付接続要求情報に含まれる接続要求情報に基づいて、通信資源の使用率であって当該接続要求情報に対応するユーザ端末に通信資源を割り当てた後のものである割当後使用率を算出し、算出した割当後使用率に基づいて、通信資源を割り当てるユーザ端末を決定する際の条件価格を設定し、記憶した価格付接続要求情報および設定した条件価格に基づいて、通信資源を割り当てるユーザ端末および通信資源の割当価格を決定し、決定したユーザ端末に、決定した割当価格の通信料金で通信資源を割り当てるものである。
【発明の効果】
【００１１】
本発明によれば、輻輳の発生を回避し通信資源の使用率を平均化することができるだけでなく、本来の通信資源の使用率に応じた通信料金を設定することができる通信資源割当装置が得られる。
【発明を実施するための最良の形態】
【００１２】
第１の発明の通信資源割当装置は、通信資源を割り当てるユーザ端末をユーザ端末から提示された提示価格に基づいて決定し、決定したユーザ端末に通信資源を割り当てる通信資源割当装置であって、通信資源への接続要求に関する接続要求情報および提示価格を含むユーザ端末から送信された価格付接続要求情報を記憶する記憶手段と、記憶手段で記憶した価格付接続要求情報に含まれる接続要求情報に基づいて、通信資源の使用率であって当該接続要求情報に対応するユーザ端末に通信資源を割り当てた後のものである割当後使用率を算出する算出手段と、算出手段で算出した割当後使用率に基づいて、通信資源を割り当てるユーザ端末を決定する際の条件価格を設定する価格設定手段と、記憶手段で記憶した価格付接続要求情報および価格設定手段で設定した条件価格に基づいて、通信資源を割り当てるユーザ端末および通信資源の割当価格を決定する決定手段と、決定手段で決定したユーザ端末に、決定手段で決定した割当価格の通信料金で通信資源を割り当てる割当手段と、を備えたことを特徴としたものである。
【００１３】
この構成により、輻輳の発生を回避し通信資源の使用率を平均化することができるだけでなく、本来の通信資源の使用率に応じた通信料金を設定することができるという作用を有する。具体的には、回線使用率で決まる最低落札価格とその時点での発信希望者（入札者）の数と入札価格との組み合わせで通話者および通信料金を決定し通信資源を割り当てる、つまりユーザの同時発信要求（入札）に対し回線使用率に応じて端末を選別し通信権を割り当てるので、回線使用率の平均化を実現することができるのは勿論、輻輳に対する耐性を確保することができるという作用を有する。また、通信資源割当後の回線使用率に応じた料金課金を行うので、適正な価格で課金を行うことができるという作用を有する。また、ユーザの緊急度（上限料金）を通信資源の割り当てに反映させているので、回線混雑時の通信権獲得の確実性を向上することができ緊急時のユーザの安心感を得ることができるという作用を有する。
【００１４】
第２の発明の通信資源割当装置は、前記の発明の通信資源割当装置において、価格設定手段は、割当後使用率、および使用率と条件価格とを関連付けた使用率価格テーブルであって地域、基地局または交換機ごとに設定したものに基づいて、条件価格を設定することを特徴としたものである。
【００１５】
回線の使用状況には地域ごとのユーザ分布（例えば年齢層）により差があるので一律の回線使用率料金テーブルでは効果的に輻輳を抑制することが困難となる虞があるが、この構成により、地域ごと（基地局ごとまたは交換機）に異なる回線使用率料金テーブルを適用して料金を決定するので、実際の状況に応じた輻輳抑制効果を得ることができるという作用を有する。
【００１６】
第３の発明の通信資源割当装置は、前記の発明の通信資源割当装置において、価格設定手段は、割当後使用率が予め学習して得られた使用率の定常値と異なる場合、当該割当後使用率、および使用率と条件価格とを関連付けた使用率価格テーブルであって定常値との異なりごとに設定したものに基づいて、条件価格を設定することを特徴としたものである。
【００１７】
災害時に通常の輻輳と同じ内容で回線使用率料金テーブルを使用しても効果的に輻輳を抑制することが困難となる虞があるが、この構成により、回線使用率の定常状態（２４時間中、曜日、祝祭日によるパターン）を学習し、災害時など通常と異なる特徴が回線使用率に現れた場合には異なる回線使用率料金テーブルを適用して料金を決定する（例えば通常より連続通話時間を制限したり、低い回線使用率でも料金をＵＰしたりする）ので、実際の状況に応じた輻輳抑制効果を得ることができるという作用を有する。
【００１８】
第４の発明の通信資源割当装置は、前記の発明の通信資源割当装置において、決定手段は、価格付接続要求情報、条件価格および基地局に位置登録されているユーザ端末の数に基づいて、ユーザ端末および割当価格を決定することを特徴としたものである。
【００１９】
通信可能回線数に対して通信を開始するかもしれない端末数を考慮しないと輻輳抑制効果が十分に得られず回線使用率が上昇する虞があるが、この構成により、基地局当たりに位置登録している携帯端末の数を条件として加えて通信料金を決定する（例えば位置登録端末数の数が少ない方が通信料金を安価にする）ので、端末が属する実環境により応じた課金を行い、通話量を制御することができるという作用を有する。
【００２０】
第５の発明の通信資源割当装置は、前記の発明の通信資源割当装置において、決定手段は、価格付接続要求情報、条件価格および価格付接続要求情報の送信頻度に基づいて、ユーザ端末および割当価格を決定することを特徴としたものである。
【００２１】
トラフィックが混んでいる状態で特定のユーザが何度も使用する状況が発生する虞があるが、この構成により、発信要求の頻度を条件として加えて通信料金を決定する（例えば発信頻度が高い方が通信料金を高価にする）ので、使用していないユーザの方の落札条件を緩和して落札し易くすることができるという作用を有する。
【００２２】
第６の発明の通信資源割当装置は、前記の発明の通信資源割当装置において、決定手段は、価格設定手段で設定した条件価格を、価格付接続要求情報を送信したユーザ端末に通知する条件価格通知手段と、条件価格通知手段で行った通知に対する応答を、当該通知から所定時間または算出手段で算出した割当後使用率に基づいて設定した時間が経過するまでの間受信する条件価格応答受信手段と、条件価格応答受信手段で応答を受信しなかった場合、条件価格通知手段で通知した条件価格から所定金額または算出手段で算出した割当後使用率に基づいて設定した金額を減額する価格減額手段と、をさらに備え、条件価格応答受信手段で応答を受信するまで条件価格を価格減額手段で減額しながら条件価格通知手段でユーザ端末に通知し、条件価格応答受信手段で応答を受信した場合、当該応答を送信したユーザ端末を通信資源を割り当てるユーザ端末として決定すると共に、当該応答の元となる通知で指定した条件価格を割当価格として決定することを特徴としたものである。
【００２３】
この構成により、輻輳の発生を回避し通信資源の使用率を平均化することができるだけでなく、本来の通信資源の使用率に応じた通信料金を設定することができるという作用を有する。具体的には、端末が発信要求を行うと交換機はその時点の回線使用率から決まる上限通話料金（オークション開始金額）を決定して端末に通知し、その価格での通話開始の要求が端末側から無い状態で一定時間が経過したら、ある金額を減額した更新通話料金を端末に通知し、最初にその価格での通信を了承した端末から通信資源を割り当て、さらに当該減額においては、回線使用率で決まる金額を一定時間ごとに減額したり一定金額を回線使用率で決まるある時間ごとに減額したりするので、回線使用率の平均化を実現することができるのは勿論、輻輳に対する耐性を確保することができたり、適正な価格で課金を行うことができたり、回線混雑時の通信権獲得の確実性を向上することができ緊急時のユーザの安心感を得ることができたりするという作用を有する。
【００２４】
第７の発明の通信資源割当装置は、前記の発明の通信資源割当装置において、価格減額手段は、減額した後の条件価格が、算出手段で算出した割当後使用率に基づいて設定した下限価格を下回った場合、条件価格の減額を停止する、または条件価格を当初の条件価格にリセットすることを特徴としたものである。
【００２５】
価格が落ち込むまでユーザが待っていると混んでいるにもかかわらず安価な通信料金になってしまう虞があるが、この構成により、回線使用率に応じた下限価格を設定し、上限通話料金から値下げしてきた更新通話料金が下限価格を下回ったら、通話料金の更新（値下げ）を停止するまたは当初の通話料金（上限通話料金）にリセットするので、適正な価格で課金を行うことができるという作用を有する。
【００２６】
第８の発明の通信資源割当装置は、前記の発明の通信資源割当装置において、決定手段で決定した割当価格を、決定手段で決定したユーザ端末に通知する割当価格通知手段と、割当価格通知手段で行った通知に対する応答を、当該通知から所定時間が経過するまでの間受信する割当価格応答受信手段とをさらに備え、割当手段は、割当価格応答受信手段で応答を受信した場合、決定手段で決定したユーザ端末に、決定手段で決定した割当価格の通信料金で通信資源を割り当てることを特徴としたものである。
【００２７】
端末で決済をしたタイミングと料金が更新されるタイミングとが重なった場合には通信権を獲得した金額が分からない虞があるが、この構成により、端末が一度了承し、その後交換機が確認のために通知してくる落札価格情報を当該端末が再度了承した後から通話路の確立が行なわれるので、通信権を獲得した金額をユーザに明示してから通話を開始させることができるという作用を有する。
【００２８】
第９の発明の通信資源割当装置は、前記の発明の通信資源割当装置において、割当手段で通信資源を割り当てたときからの経過時間に基づいて、決定手段で決定した割当価格を基準として通信料金を増額する料金増額手段、および／または割当手段で通信資源を割り当てたときからの経過時間が、算出手段で算出した割当後使用率に基づいて設定した最大通信可能時間を超えたとき、割当手段で通信資源を割り当てたユーザ端末への通信資源の割り当てを切断する切断手段をさらに備えたことを特徴としたものである。
【００２９】
通話権を獲得したユーザが通話を長時間継続して回線を放さない虞があるが、この構成により、通話料金は落札価格をベースに通話時間に応じて上昇する（または通話時間が短いと料金を安くする）、または割り当てられた通信資源は回線使用率に応じて設定された最大通信可能時間内で使用可能とするので、ユーザの連続通話時間を抑制することができるという作用を有する。
【００３０】
第１０の発明の通信資源割当装置は、前記の発明の通信資源割当装置において、算出手段、価格設定手段、決定手段を所定の時間周期で繰り返し起動し、算出手段で算出した割当後使用率に基づいて、所定の時間を変更する時間変更手段をさらに備えたことを特徴としたものである。
【００３１】
ユーザは発呼よりオークション決済まで通話開始を待たされる虞があるが、この構成により、オークション処理は時間Ｔごとに繰り返され、その時間Ｔは回線使用率に連動して変化する（例えば回線使用率が低いほど短くする）ので、回線の混み具合に応じた待ち時間となり（例えば待ち時間が短いほど早く決まったり、待ち時間が長いほど平等に決まったりし）、混んでいない場合はほぼ即決することができるという作用を有する。
【００３２】
第１１の発明の通信資源割当装置は、前記の発明の通信資源割当装置において、決定手段で決定したユーザ端末以外のユーザ端末の価格付接続要求情報を記憶手段に保持する決定保持手段をさらに備えたことを特徴としたものである。
【００３３】
発信時のユーザの操作手順が複雑になったり、端末と網間の呼制御情報のやり取りが増大したりする虞があるが、この構成により、端末と呼制御サーバとのオークション処理において端末から上限価格を入札して落札できなかった場合は、その端末に通信権が落札されるまでサーバ側で当該入札時の価格を保持してオークションに自動で再入札するので、無駄な接続要求を抑制し、制御チャネルのトラフィックを削減する（制御チャネルの輻輳を抑制する）ことができるという作用を有する。
【００３４】
第１２の発明の通信資源割当装置は、前記の発明の通信資源割当装置において、割当手段で通信資源を割り当てたときからの経過時間が、算出手段で算出した割当後使用率に基づいて設定した最大通信可能時間未満の所定時間を超えたとき、割当手段で通信資源を割り当てたユーザ端末に、通信資源の割り当てを継続するか否かを通知する継続通知手段と、継続通知手段で行った通知に対する応答を、当該通知から最大通信可能時間が経過するまでの残り時間の間受信する継続応答受信手段と、継続応答受信手段で応答を受信した場合であって当該応答が通信資源の割り当てを継続するというものであったとき、割当手段で通信資源を割り当てたユーザ端末の価格付接続要求情報を記憶手段に保持する継続保持手段と、をさらに備えたことを特徴としたものである。
【００３５】
最大通話時間に達した後に通話を継続したい場合は再入札が必要となるが、この構成により、最大通話可能時間に近づいたら端末に通話期限が近いことを通知し、ユーザが通話継続を望む場合は再入札へ導くので、通話中に再入札を行うことで通話を通話期限で切断せずに新たな通話期限で継続することができるという作用を有する。
【００３６】
第１３の発明の通信資源割当装置は、前記の発明の通信資源割当装置において、接続要求情報は、基地局を一意に識別するための基地局識別情報をさらに含み、算出手段は、接続要求情報に基づいて、基地局単位の割当後使用率を算出し、価格設定手段は、算出手段で算出した基地局単位の割当後使用率に基づいて、基地局単位の条件価格を設定し、価格設定手段で設定した基地局単位の条件価格を、当該基地局に位置登録しているユーザ端末に報知する報知手段をさらに備えたことを特徴としたものである。
【００３７】
ユーザは発呼するまで回線の混雑具合が分からないためにどれくらいの金額で入札してよいか分からなくなる虞があるが、この構成により、端末が位置登録している基地局におけるその時点での最低落札価格が報知情報として基地局からリアルタイムにユーザに通知されるので、ユーザは落札可能性が高い料金で入札の発呼を行うことができたり、また通話料金の確認が発呼前に可能となるので通話抑制効果が働くと共に発信動作が減ることで制御チャネルのトラフィックも抑制することができたりするという作用を有する。
【００３８】
第１４の発明の通信資源割当装置は、前記の発明の通信資源割当装置において、算出手段で算出した割当後使用率が所定値以下であるか否かを判定する使用率判定手段をさらに備え、割当手段は、使用率判定手段での判定結果が所定値以下であるというものであった場合、記憶手段で記憶した価格付接続要求情報に対応するユーザ端末に通信資源を割り当てることを特徴としたものである。
【００３９】
回線が空いているときにもオークション手順を経由すると発信手順が増えると共に接続確立までにかかる時間も長くなる虞があるが、この構成により、通信回線の種別としてオークション手続きを経て割り当てるものと従来の手続き（早い者勝ち）で割り当てるものの２つを持ち、回線使用率に応じてその通信回線の比率を制御する（例えば回線使用率が低い場合には早い者勝ち用の通信回線の割合を高くし、回線使用率が高い場合にはオークション用の通信回線の割合を高くする）ので、回線が空いている場合にはオークション手順を通らずに通信資源を割り当てることができ、従来と同等の接続時間で実現することができるという作用を有する。
【００４０】
つぎに、上述した発明にかかる通信資源割当装置の実施の形態（以下、本実施の形態と記す場合がある。）を図面に基づいて詳細に説明する。なお、本実施の形態により上述した発明が限定されるものではない。
【００４１】
［１．本実施の形態の概要］
本実施の形態について図１から図５を参照して説明する。
【００４２】
図１は、本実施の形態の概要を示す図である。本実施の形態は、回線使用率が所定の基準値（例えば回線使用率７５％）以下の平常時では定額料金内または契約内容によっては無料で通話を可能とし、そうでない回線混雑時ではオークションによる通話料課金で通話を可能とする。
【００４３】
図２は、回線混雑時に行われるオークションへの参加手順を示す図である。本実施の形態は、従来のＷＥＢベースのネットオークションではなく、電話呼出手順を拡張したユーザインターフェースにより単純操作でのオークション参加手順を提供する。
【００４４】
具体的には、まず、本実施の形態は、既存の電話呼出手順において電話が繋がりにくい場合、例えば表示画面を有する電話機に対しては当該表示画面に、例えば“回線が混雑しています”のようなメッセージを表示すると共に、通話権のオークションへ参加するためのオークションボタンや、オークションにおける現在の落札価格（例えば１分あたりの通話料金“２４円”など）などを表示する。なお、オークションへの入札金額（オークション料金）は、例えば現在の落札価格が２４円であれば例えば２０円といったように、事前に設定しておいたものでもよい。
【００４５】
つぎに、本実施の形態は、電話機からオークションボタンが押されたことの通知を受けると、当該電話機の表示画面に、例えば２０円で入札した場合には例えば“２０円で入札中”のようなメッセージを表示すると共に、オークションにおける現在の落札価格（例えば“２４円”など）や、入札金額を変更するための金額変更ボタン、オークションへの参加を止めるための停止ボタンなどを表示する。なお、本実施の形態は、電話機から金額変更ボタンが押されたことの通知を受けた場合には、当該電話機の表示画面に、例えば“金額を入力して下さい”のようなメッセージや、入札金額を入力するための入力領域、当該入力領域に入力されている金額を入札金額として決定するための決定ボタンなどを表示する。
【００４６】
そして、本実施の形態は、オークションによって通話権を落札した電話機に対して接続を確立すると共に、当該電話機の表示画面に、例えば“発信中”のようなメッセージや、相手先の電話番号、落札価格（例えば１分２４円など）などを表示する。
【００４７】
図３は、本実施の形態で行うオークション判定の概要（その１）を示す図である。まず、本実施の形態としてのサーバは、複数の端末から発信された呼接続要求であって入札価格に関する入札情報が付されたものを受信しながら、所定のタイミング（例えば１０秒周期）でオークション判定を行う。
【００４８】
つぎに、サーバは、オークション判定を開始すると、まず、当該オークション判定への参加対象となる呼接続要求に基づいて回線使用率を計算する。
【００４９】
つぎに、サーバは、回線使用率とレベル（回線混雑レベル）と最低価格（最低落札価格）と通話時限（通話可能時間）とを相互に関連付けた図３に示すような入札条件テーブルに従って、計算した回線使用率に対応するレベルや最低価格、通話時限を設定する。具体的には、図３に示す入札条件テーブルに従う場合、サーバは、計算した回線使用率が８０％以上８５％未満のときは、レベルを“Ｌｖ２”、最低価格を“３０円”、通話時限を“２０分”と設定する。なお、設定する最低価格は、図４に示すように回線使用率に合わせて変動する。図４は、回線使用率と最低価格との関係および入札条件テーブルを示す図である。
【００５０】
図３に戻り、サーバは、参加対象となる複数の呼接続要求から特定される複数の入札価格および設定した最低落札価格に基づいて、落札端末および落札最低価格を決定する。具体的には、入札価格が“２０円”、“４０円”および“５０円”であり且つ最低落札価格が“３０円”の場合、サーバは、入札価格が“４０円”の呼接続要求を発信した端末および“５０円”の呼接続要求を発信した端末を、落札端末として決定する。そして、落札端末として決定した端末の入札価格“４０円”および“５０円”とを比較して、“４０円”を落札最低価格として決定する。
【００５１】
そして、サーバは、決定した落札端末には接続応答（落札最低価格を含む）を送信して当該落札端末の通話を開始させる（当該落札端末の接続を確立する）と共に、決定した落札最低価格で課金する。また、サーバは、落札端末以外の端末には接続拒否を送信する。
【００５２】
図５は、本実施の形態で行うオークション判定の概要（その２）を示す図である。まず、本実施の形態としてのサーバは、輻輳が発生すると、輻輳発生中である旨およびオークション判定における最低落札価格（例えば“２０円”など）を、報知情報として端末に送信する。そして、サーバは、報知情報送信後、複数の端末から発信された呼接続要求であって入札価格に関する入札情報が付されたものを受信しながら、所定のタイミング（例えば１０秒周期）でオークション判定を行う。
【００５３】
つぎに、サーバは、オークション判定を開始すると、まず、当該オークション判定への参加対象となる呼接続要求に基づいて、当該参加対象に回線を仮想的に割り当てた後の回線使用率（割当後回線使用率）を計算する。
【００５４】
つぎに、サーバは、計算した割当後回線使用率に対応するレベルや最低価格、通話時限を、図５に示すような入札条件テーブルに従って設定する。具体的には、図５に示す入札条件テーブルに従う場合、サーバは、計算した割当後回線使用率が７０％以上８０％未満のときは、レベルを“Ｌｖ２”、最低価格を“３０円”、通話時限を“２０分”と設定する。ここで、当該参加対象に回線を仮想的に割り当てる前の回線使用率（割当前回線使用率）ではなく割当後回線使用率を採用し、当該割当後回線使用率に対応するレベル、最低価格および通話時限を設定することが本実施の形態の特徴である。
【００５５】
つぎに、サーバは、参加対象となる複数の呼接続要求から特定される複数の入札価格および設定した最低落札価格に基づいて、落札端末および落札最低価格を決定する。具体的には、入札価格が“２０円”および“３０円”であり且つ最低落札価格が“３０円”の場合、サーバは、入札価格が“３０円”の呼接続要求を発信した端末を落札端末として決定すると共に、落札端末として決定した端末の入札価格“３０円”を落札最低価格として決定する。ここで、割当前回線使用率が５０％以上７０％未満で割当後回線使用率が７０％以上８０％未満である場合、入札条件テーブルに従って最低価格を当該割当前回線使用率に対応する“２０円”に設定すれば、サーバは入札価格が“２０円”の端末も割当端末として決定するのだが、割当後回線使用率に対応する最低価格を設定することが本実施の形態の特徴であるので、この場合、入札価格が“２０円”の端末は落札端末として決定しない。これにより、本来の回線使用率に応じた通話料金からの乖離がない価格を落札最低価格として決定することができる。
【００５６】
つぎに、サーバは、決定した落札端末には接続応答（落札最低価格を含む）を送信して当該落札端末の通話を開始させる（当該落札端末の接続を確立する）と共に、決定した落札最低価格で課金する。また、サーバは、落札端末以外の端末には接続拒否を送信する。
【００５７】
そして、サーバは、つぎに輻輳が発生したら、輻輳発生中である旨および上述したオークション判定において設定した最低落札価格“３０円”を、報知情報として端末に送信する。
【００５８】
以上、本実施の形態の概要について説明したが、これにより、回線使用率とオークション価格とを連動させて高額入札者に通話権を割り当てることができるので、複数の回線を短時間で同時に割り当てることができる。また、回線当たりの売り上げを向上させることができ、携帯電話事業者の収益を確保することができる。また、回線混雑ピーク時の通話時間抑制や通話時間帯移動によるトラフィックの分散を実現することができるので、回線設備の増強を伴わずに例えば低価格な定額制サービスを実現することができる。また、最大トラフィック量を通話者に自律的に抑制させることができるので、少ない回線数で例えば低価格な２４時間定額通話サービスを提供することができる。また、どうしても通話したいユーザに回線を優先的に割り当てることができるので、ユーザが納得するような回線割り当てを実現することができる。また、混雑していても繋がるサービスを提供することができるので、ユーザにいつでも繋がる安心を提供することができる。
【００５９】
なお、優先順位の付け方としては、前回の通話時間が短い端末の優先順位を上げてもよく、また回線混雑時において発信要求の間隔が長い端末の優先順位を上げてもよい。また、発信した回数に従って優先順位を上げてもよい。
【００６０】
また、回線使用率が低いときは当該回線使用率に応じた価格テーブルに従って通信回線を即時割り当て、回線使用率が高くなるとオークションを開始してもよい。これにより、低需要のときはリアルタイム性を優先し回線使用効率を上げ、高需要のときは高額入札者を優先することで、資源割り当ての平等性を高める。
【００６１】
また、通話剥奪の仕組みとしては、オークション中は通話時限（最大通話可能時間）を適用し、通話中の端末に現在価格を表示し、再入札の操作で通話継続し、発信待ち端末の入札価格が上回ったら落札可能としてもよい。
【００６２】
また、予約と予約獲得時間の表示については、オークション中は通話時限（最大通話可能時間）を適用し、回線に空きがない場合は次のタイミングの通話権を発信希望者間で競売させ、落札者にはつぎに割り当てられる予定時刻を表示してもよい。
【００６３】
また、契約種別に応じて複数の価格テーブルを適用してもよい。
【００６４】
［２．システム構成］
本実施の形態にかかる通信資源割当装置を包含する通信資源割当システム（以下、本システムと記す場合がある。）の構成について図６ならびに図７および図８を参照して説明する。
【００６５】
［２−１．構成（その１）］
図６は、本システムの全体構成（その１）の一例を示す図である。図６において、符号１はユーザ端末であり、符号２は移動交換局（ＢＴＳ（Ｂａｓｅ  Ｔｒａｎｓｃｅｉｖｅｒ  Ｓｔａｔｉｏｎ）／ＭＣＣ（Ｍｏｂｉｌｅ  Ｃｏｎｔｒｏｌ  Ｃｅｎｔｅｒ）／ＭＳＣ（Ｍｏｂｉｌｅ  Ｓｗｉｔｃｈｉｎｇ  Ｃｅｎｔｅｒ））であり、符号３はサーバであり、符号４は在圏網加入者管理レジスタ（ＶＬＲ（Ｖｉｓｉｔｏｒ  Ｌｏｃａｔｉｏｎ  Ｒｅｇｉｓｔｅｒ））であり、符号５は関門交換局（ＧＭＳＣ（Ｇａｔｅｗａｙ  Ｍｏｂｉｌｅ  Ｓｗｉｔｃｈｉｎｇ  Ｃｅｎｔｅｒ））であり、符号６は外部通信網である。符号１ａは呼制御部であり、符号１ｂはオークションアプリである。符号２ａは呼制御部である。符号３ａは呼制御部であり、符号３ｂはオークション制御部であり、符号３ｃは課金情報管理部であり、符号３ｄは加入者利用情報データベース（Ｄａｔａ−ｂａｓｅ）である。
【００６６】
本システムは、ユーザ端末１と移動交換局２とサーバ３とＶＬＲ４と関門交換局５とで構成されている。
【００６７】
ユーザ端末１は、具体的には携帯端末であり、呼制御部１ａとオークションアプリ１ｂとを備えている。呼制御部１ａは、呼制御メッセージを制御チャネルで移動交換局２と交換し、通話チャネルの確立／切断を制御する。呼制御部１ａは、オークションへの入札価格を含む呼制御情報を移動交換局２へ発信する。呼制御部１ａは、移動交換局２から送信された、オークション価格（最低落札価格）を含む報知情報や、オークションで決定した落札価格を含む呼制御情報を受信する。オークションアプリ１ｂは、所定のアプリ提供サービスを利用してダウンロードしたアプリケーション（ファームウェア）である。オークションアプリ１ｂは、オークションへ参加する際に用いる上述した図２に示す表示画面を表示する。
【００６８】
移動交換局２は呼制御部２ａを備えている。呼制御部２ａは、呼制御メッセージを制御チャネルでユーザ端末１やサーバ３と交換し、通話チャネルの確立／切断を制御する。呼制御部２ａは、オークション価格（最低落札価格）を含む報知情報や、落札価格を含む呼制御情報をユーザ端末１へ送信する。呼制御部２ａは、ユーザ端末１から発信された、入札価格を含む呼制御情報を受信する。呼制御部２ａは、入札価格を含む加入者接続照会や呼接続情報をサーバ３へ送信する。呼制御部２ａは、サーバ３から送信された、落札結果および落札価格を含む呼設定可否やオークションでの最低落札価格を受信する。呼制御部２ａは、本実施の形態にかかる割当手段および報知手段を包含するものである。
【００６９】
サーバ３は、呼制御部３ａとオークション制御部３ｂと課金情報管理部３ｃと加入者利用情報データベース３ｄとを備えている。サーバ３は、本実施の形態にかかる記憶手段を包含するものである。呼制御部３ａは、呼制御メッセージを制御チャネルで移動交換局２と交換し、通話チャネルの確立／切断を制御する。呼制御部３ａは、移動交換局２から送信された加入者接続照会や呼接続情報を受信する。呼制御部３ａは、呼設定可否を移動交換局２へ送信する。呼制御部３ａは、本実施の形態にかかる割当手段および報知手段を包含するものである。オークション制御部３ｂは、最低落札価格を設定し、設定した最低落札価格を移動交換局２へ送信する。オークション制御部３ｂは、本実施の形態にかかる算出手段、価格設定手段、決定手段（条件価格通知手段、条件価格応答受信手段、価格減額手段を含む）、変更手段、決定保持手段、継続通知手段、継続応答受信手段および継続保持手段を包含するものである。課金情報管理部３ｃは、通話時間に関する課金情報を生成し、通話明細情報として発行する。加入者利用情報データベース３ｄは、本システムを利用する加入者に関する情報を記憶するデータベースである。
【００７０】
ＶＬＲ４は、加入者に関する情報を一時的に記憶するレジスタである。関門交換局５は、外部通信網６と相互接続するための関門交換機能を有する。外部通信網６は、携帯網、固定網、ＩＰ電話網などである。
【００７１】
［２−２．構成（その２）］
図７および図８は、本システムの全体構成（その２）の一例を示す図である。図７において、符号１０は移動端末であり、符号２０は基地局であり、符号３０は移動交換局であり、符号４０は関門交換局であり、符号５０は外部通信網である。図８において、符号１０は移動端末であり、符号４０は関門交換局であり、符号６０は交換局である。符号１０ａは呼制御部であり、符号１０ｂは入札価格メモリであり、符号１０ｃはユーザ入力部であり、符号１０ｄは表示部である。符号６０ａは呼制御部であり、符号６０ｂは回線割当判定部であり、符号６０ｃはタイマであり、符号６０ｄは通話料金決定部であり、符号６０ｅは回線トラフィック管理部であり、符号６０ｆは課金情報管理部であり、符号６０ｇは入札者テーブルである。
【００７２】
本システムは、移動端末１０と、関門交換局４０と、基地局２０および移動交換局３０を含む交換局６０と、で構成されている。
【００７３】
移動端末１０は、具体的には携帯端末であり、呼制御部１０ａと入札価格メモリ１０ｂとユーザ入力部１０ｃと表示部１０ｄとを備えている。呼制御部１０ａは、制御チャネルで呼制御メッセージを交換局６０と交換し、通話チャネルの確立／切断を制御する。呼制御部１０ａは、発信番号に加えてオークションへの入札価格を付加した発信要求を交換局６０に対して行う。入札価格メモリ１０ｂは、通信資源利用のための課金上限入札価格情報を記憶する。ユーザ入力部１０ｃは、発信番号や発信入札価格などをユーザに入力させる。表示部１０ｄは、発信番号、着信番号および通信価格情報などを表示する。
【００７４】
関門交換局４０は、外部通信網５０と相互接続するための関門交換機能を有する。
【００７５】
交換局６０は、基地局２０および移動交換局３０を含むものであり、呼制御部６０ａと回線割当判定部６０ｂとタイマ６０ｃと通話料金決定部６０ｄと回線トラフィック管理部６０ｅと課金情報管理部６０ｆと入札者テーブル６０ｇとを備えている。
【００７６】
呼制御部６０ａは、制御チャネルで呼制御メッセージを移動端末１０や関門交換局４０と交換し、通話チャネルの確立／接続を制御する。呼制御部６０ａは、呼設定要求情報を入札者テーブル６０ｇに格納する。呼制御部６０ａは、呼接続情報を回線トラフィック管理部６０ｅおよび課金情報管理部６０ｆに送信する。呼制御部６０ａは、回線割当判定部６０ｂから送信された、呼設定可否判定および落札価格を受信する。呼制御部６０ａは、課金情報管理部６０ｆから送信された課金情報を受信する。呼制御部６０ａは、本実施の形態にかかる割当手段および報知手段を包含するものである。
【００７７】
回線割当判定部６０ｂは、呼設定要求中の端末数、それぞれの入札価格、その時点の回線使用率および回線使用率毎の最低落札価格に基づいて、落札端末（通話可能端末）および落札価格（時間当たりの通話料金）を決定する。回線割当判定部６０ｂは、呼設定可否判定および落札価格を呼制御部６０ａへ送信する。回線割当判定部６０ｂは、入札者数を通話料金決定部６０ｄへ送信する。回線割当判定部６０ｂは、落札価格を課金情報管理部６０ｆへ送信する。回線割当判定部６０ｂは、入札者テーブル６０ｇを参照したり更新したりする。回線割当判定部６０ｂは、本実施の形態にかかる決定手段（条件価格通知手段、条件価格応答受信手段、価格減額手段を含む）、変更手段、決定保持手段、継続通知手段、継続応答受信手段および継続保持手段を包含するものである。
【００７８】
タイマ６０ｃは、ある時間ごとに回線割当判定部６０ｂを起動する。
【００７９】
通話料金決定部６０ｄは、回線使用率と対応した最低落札価格を決定し、決定した最低落札価格を回線割当判定部６０ｂへ送信する。通話料金決定部６０ｄは、回線割当判定部６０ｂから送信された入札者数を受信する。通話料金決定部６０ｄは、回線トラフィック管理部６０ｅから送信された回線使用率を受信する。通話料金決定部６０ｄは、本実施の形態にかかる価格設定手段を包含するものである。
【００８０】
回線トラフィック管理部６０ｅは、交換局６０が接続可能な通話チャネルがどの程度使用中であるかを監視する。回線トラフィック管理部６０ｅは、呼制御部６０ａから送信された呼接続情報を受信する。回線トラフィック管理部６０ｅは、回線使用率を計算し、計算した回線使用率を通話料金決定部６０ｄへ送信する。回線トラフィック管理部６０ｅは、本実施の形態にかかる算出手段を包含するものである。
【００８１】
課金情報管理部６０ｆは、決定された時間当たりの通話料金と通話時間に基づいて課金する。課金情報管理部６０ｆは、呼制御部６０ａから送信された呼接続情報を受信する。課金情報管理部６０ｆは、回線割当判定部６０ｂから送信された落札価格を受信する。課金情報管理部６０ｆは、課金情報を呼制御部６０ａへ送信する。
【００８２】
［３．システムの処理］
上述した構成の本システムで行われる処理の一例について図９から図１６および図１７から図２４を参照して説明する。
【００８３】
［３−１．処理（その１）］
図９は、図６に示す本システムで行われる呼制御プロトコルの一例を示すシーケンス図である。ここで、図９において、ＭＳ（移動端末）は図６に示すユーザ端末１に相当し、ＢＴＳ、ＭＣＣおよびＭＳＣは図６に示す移動交換局２に相当し、サーバは図６に示すサーバ３に相当し、ＶＬＲは図６に示すＶＬＲ４に相当し、ＧＭＳＣは図６に示す関門交換局５に相当し、他網は図６に示す外部通信網６に相当する。図９において、ＨＬＲはＨｏｍｅ  Ｌｏｃａｔｉｏｎ  Ｒｅｇｉｓｔｅｒである。
【００８４】
まず、ＭＳ１はＢＴＳとの間で制御チャネルの設定を行い（ステップＳＡ１）、ＢＴＳはＭＣＣとの間で制御チャネルの設定を行う（ステップＳＡ２）。
【００８５】
つぎに、ＭＳ１は、拡張情報（ＵＵＩ）として入札価格を含む呼設定（ＳＥＴＵＰ）をＭＣＣへ発信し、ＭＣＣはそれを受信する（ステップＳＡ３）。
【００８６】
つぎに、ＭＣＣは、呼設定に基づいて加入者認証を行う（ステップＳＡ４）。
【００８７】
つぎに、ＭＣＣは加入者接続照会をサーバへ送信し、サーバ３はそれを受信する（ステップＳＡ５）。ここで、加入者接続照会には、発信局番号、発信基地局、着信局番号、着信基地局、要求時刻、通信種別が呼情報として含まれており、入札価格（上限値）を含むオークション情報が拡張情報として含まれている。
【００８８】
つぎに、サーバ３は、加入者接続照会に基づいて、後述する加入者認証およびオークション判定（具体的には、後述する［３−１−１．オークション入札者接続判定処理］や［３−１−２．ダッチオークション入札者接続判定処理（その１）］、［３−１−３．ダッチオークション入札者接続判定処理（その２）］で説明する処理）を行う（ステップＳＡ６）。
【００８９】
つぎに、サーバ３は呼設定可否をＭＣＣへ送信し、ＭＣＣはそれを受信する（ステップＳＡ７）。ここで、呼設定可否には、呼設定可否および拒否理由が呼情報として含まれており、オークションでの落札結果および落札価格を含むオークション情報が拡張情報として含まれている。
【００９０】
つぎに、ＭＣＣは、呼設定可否に基づいて交換制御を行う（ステップＳＡ８）。
【００９１】
つぎに、ＭＣＣは、拡張情報として落札結果および落札価格を含む呼設定受付（ＣＡＬＬ  ＰＲＯＣ）をＭＳ１へ送信し、ＭＳ１はそれを受信する（ステップＳＡ９）。
【００９２】
つぎに、ＭＣＣは呼設定（ＳＥＴＵＰ）をＭＳＣへ送信し、ＭＳＣはそれを受信する（ステップＳＡ１０）。
【００９３】
つぎに、ＭＳＣは呼設定（ＩＡＩ）をＧＭＳＣ５へ送信し、ＧＭＳＣ５はそれを受信する（ステップＳＡ１１）。つぎに、ＧＭＳＣ５は呼設定（ＩＡＩ）を他網６へ送信する（ステップＳＡ１２）。
【００９４】
つぎに、ＭＳＣは呼設定受付（ＣＡＬＬ  ＰＲＯＣ）をＭＣＣへ送信し、ＭＣＣはそれを受信する（ステップＳＡ１３）。
【００９５】
つぎに、ＧＭＳＣ５は他網６から送信された呼出（ＡＣＭ）を受信する（ステップＳＡ１４）。つぎに、ＧＭＳＣ５は呼出（ＡＣＭ）をＭＳＣへ送信し、ＭＳＣはそれを受信する（ステップＳＡ１５）。
【００９６】
つぎに、ＭＳＣは呼出（ＡＬＥＲＴ）をＭＣＣへ送信し、ＭＣＣはそれを受信する（ステップＳＡ１６）。つぎに、ＭＣＣは呼出（ＡＬＥＲＴ）をＭＳ１へ送信し、ＭＳ１はそれを受信する（ステップＳＡ１７）。
【００９７】
つぎに、ＧＭＳＣ５は他網６から送信された応答（ＡＮＤ）を受信する（ステップＳＡ１８）。つぎに、ＧＭＳＣ５は応答（ＡＮＤ）をＭＳＣへ送信し、ＭＳＣはそれを受信する（ステップＳＡ１９）。
【００９８】
つぎに、ＭＳＣは応答（ＣＯＮＮ）をＭＣＣへ送信し、ＭＣＣはそれを受信する（ステップＳＡ２０）。最後に、ＭＣＣは応答（ＣＯＮＮ）をＭＳ１へ送信し、ＭＳ１はそれを受信する（ステップＳＡ２１）。
【００９９】
［３−１−１．オークション入札者接続判定処理］
図１０は、図９に示すサーバで行われるオークション入札者接続判定処理の一例を示すフローチャートである。
【０１００】
まず、サーバ３は、呼接続要求を受ける（ステップＳＢ１）と加入者判定を行う（ステップＳＢ２）。
【０１０１】
つぎに、サーバ３は、呼接続要求に入札価格に関する入札設定がない場合（ステップＳＢ３：無）には接続拒否処理を行い（ステップＳＢ４）、呼接続要求に入札設定がある場合（ステップＳＢ３：有）には当該呼接続要求を入札者テーブルに追加する（ステップＳＢ５）。
【０１０２】
つぎに、サーバ３は、定周期タイマによりタイムアウトするまでオークション判定待ち処理を行う（ステップＳＢ６、ステップＳＢ７：Ｎｏ）。
【０１０３】
つぎに、サーバ３は、定周期タイマによりタイムアウトする（ステップＳＢ７：Ｙｅｓ）と、後述するオークション判定処理（後述する［３−１−１−１．オークション入札判定処理］で説明する処理）を行う（ステップＳＢ８）。
【０１０４】
つぎに、サーバ３は、オークション判定処理での判定結果が落札できたというものであった場合（ステップＳＢ９：落札ＯＫ）には、当該落札したＭＳ１に対し呼接続処理を行う（ステップＳＢ１０）。
【０１０５】
一方、サーバ３は、オークション判定処理での判定結果が落札できなかったというものであった場合（ステップＳＢ９：落札ＮＧ）であって落札できなかった回数の累積が規定回数以内であったとき（ステップＳＢ１１：Ｙｅｓ）にはステップＳＢ５の処理に戻って自動的に次のオークション判定へエントリーし、そうでなかったとき（ステップＳＢ１１：Ｎｏ）にはステップＳＢ４の処理へ進む。
【０１０６】
［３−１−１−１．オークション入札判定処理］
図１１は、図９に示すサーバで行われるオークション入札判定処理の一例を示すフローチャートである。
【０１０７】
まず、サーバ３は、オークション判定を開始すると、現在のレベル（回線混雑レベル）、回線数および最低落札価格に関する状況設定を行う（ステップＳＣ１）。具体的には、サーバ３は、変数“現在Ｌｖ”、変数“現在回線数”および変数“現在Ｌｖ．最低価格”のそれぞれに、現在のレベル、回線数および最低落札価格を代入する。
【０１０８】
つぎに、サーバ３は、レベル、回線数および最低落札価格についての初期設定や、オークション判定で用いる判定テーブルの初期設定を行う（ステップＳＣ２）。具体的には、サーバ３は、変数“判定Ｌｖ”、変数“使用回線数”および変数“現在価格”のそれぞれに、変数“現在Ｌｖ”、変数“現在回線数”および変数“現在Ｌｖ．最低価格”の値を代入する。また、サーバ３は、入札者テーブルを判定テーブルへコピーし、入札者テーブルをクリアする。
【０１０９】
つぎに、サーバ３は、判定テーブルから入札者の呼接続要求を読み込む（ステップＳＣ３）。つぎに、サーバ３は、読み込んだ入札者の呼接続要求に含まれている入札価格が変数“現在価格”の値より小さい場合（ステップＳＣ４：Ｙｅｓ）には、判定テーブルから当該入札者の呼接続要求を削除し（ステップＳＣ５）、ステップＳＣ３の処理へ戻る。一方、サーバ３は、読み込んだ入札者の呼接続要求に含まれている入札価格が変数“現在価格”の値より小さくなかった場合（ステップＳＣ４：Ｎｏ）には、判定テーブルを更新（ソート）する（ステップＳＣ６）。これにより、入札者の絞込みを判定テーブルに反映させる。そして、サーバ３は、判定テーブルに格納されている全ての入札者の呼接続要求に対してステップＳＣ３からステップＳＣ６までの処理を繰り返す。
【０１１０】
つぎに、サーバ３は、変数“使用回線数”、判定テーブルおよび所定の使用可能回線数に基づいて、「（変数“使用回線数”の値＋判定テーブル内の入札者数）÷使用可能回線数」で定義される予定回線使用率を計算し、計算した予定回線使用率が、変数“判定Ｌｖ”の値に対応する入札者判定テーブル（図１２参照）の上限回線使用率以下である場合（ステップＳＣ７：Ｙｅｓ）には、ソート後の判定テーブル内に残された入札者全員を落札ＯＫとし、変数“現在価格”の値を落札価格として決定し、本オークション入札判定処理を完了する（ステップＳＣ８）。図１２は、入札者判定テーブルの一例を示す図である。入札者判定テーブルは、レベル（Ｌｖ）と上限価格（上限落札価格）と上限回線使用率と通信時限と判定周期とを相互に関連付けてなるものである。
【０１１１】
図１１に戻り、一方、サーバ３は、計算した予定回線使用率が、変数“判定Ｌｖ”の値に対応する入札者判定テーブルの上限回線使用率以下でなかった場合（ステップＳＣ７：Ｎｏ）には、入札者を絞り込むために、変数“現在価格”の値に所定金額（例えば１０円）を加算する（ステップＳＣ９）。
【０１１２】
つぎに、サーバ３は、加算後の変数“現在価格”の値が、変数“判定Ｌｖ”の値に対応する入札者判定テーブルの上限価格以上でない場合（ステップＳＣ１０：Ｎｏ）には、ステップＳＣ３の処理へ戻って当該変数“現在価格”の値で入札者の絞込みを行う。一方、サーバ３は、加算後の変数“現在価格”の値が、変数“判定Ｌｖ”の値に対応する入札者判定テーブルの上限価格以上であった場合（ステップＳＣ１０：Ｙｅｓ）には、次のレベルでオークション判定を行うために、入札者判定テーブルに記述されているレベルであって変数“判定Ｌｖ”の値より例えば１つ大きいものの値を変数“上位Ｌｖ”に代入し、当該変数“上位Ｌｖ”の値を変数“判定Ｌｖ”に代入し（ステップＳＣ１１）、ステップＳＣ３の処理へ戻って当該“判定Ｌｖ”の値で入札者の絞込みを行う。
【０１１３】
［３−１−２．ダッチオークション入札者接続判定処理（その１）］
図１３は、図９に示すサーバで行われるダッチオークション入札者接続判定処理（その１）の一例を示すフローチャートである。
【０１１４】
まず、サーバ３は、ダッチオークション判定を開始する（ステップＳＤ１）と、呼接続要求に入札価格に関する入札設定が含まれていた場合（ステップＳＤ２：Ｙｅｓ）には呼接続処理を行う（ステップＳＤ３）。
【０１１５】
つぎに、サーバ３は、呼接続要求に基づいてレベルの判定を行う（ステップＳＤ４）。具体的には、サーバ３は、呼接続要求に基づいて回線使用率を算出し、算出した回線使用率に基づいて入札者判定テーブル（図１４参照）を参照して、変数“レベル”、変数“上限価格”、変数“下限価格”および変数“下げ幅”の値を決定する。ここで、図１４は、ダッチオークション用の入札者判定テーブルの一例を示す図である。入札者判定テーブルは、レベル（Ｌｅｖｅｌ）と上限価格（上限落札価格）と下限価格（下限落札価格）と上限回線使用率と下限回線使用率と価格下げ幅とを相互に関連付けてなるものである。
【０１１６】
図１３に戻り、サーバ３は、レベルの変更があった場合（ステップＳＤ５：Ｙｅｓ）には、変数“上限価格”の値を変数“落札価格”に代入し、当該代入後の変数“落札価格”の値をＭＳ（ユーザ端末１）へ報知する（ステップＳＤ６）。
【０１１７】
一方、サーバ３は、レベルの変更がなかった場合（ステップＳＤ５：Ｎｏ）であって変数“下限価格”の値と変数“落札価格”の値とが等しくなかったとき（ステップＳＤ７：Ｎｏ）には、変数“落札価格の値から”変数“下げ幅”の値を減算し、当該減算後の変数“落札価格の値をＭＳへ報知する（ステップＳＤ８）。
【０１１８】
そして、サーバ３は、所定の更新時間Ｔだけまたは入札イベントが来るまで待機し（ステップＳＤ９）、更新時間Ｔが経過したらまたは入札イベントが来たらステップＳＤ２の処理へ戻る。
【０１１９】
以上、ダッチオークション入札者接続判定処理（その１）について説明したように、本システムでは、ユーザ発信処理（料金承諾）が無いとき、上限価格から下限価格に価格設定した後は入札価格を当該下限価格に固定する。
【０１２０】
［３−１−３．ダッチオークション入札者接続判定処理（その２）］
図１５は、図９に示すサーバで行われるダッチオークション入札者接続判定処理（その２）の一例を示すフローチャートである。なお、ここでは、上述した説明と同じものを省略する場合がある。
【０１２１】
まず、サーバ３は、ダッチオークション判定を開始する（ステップＳＦ１）と、呼接続要求に入札価格に関する入札設定が含まれていた場合（ステップＳＦ２：Ｙｅｓ）には呼接続処理を行う（ステップＳＦ３）。
【０１２２】
つぎに、サーバ３は、呼接続要求に基づいてレベルの判定を行う（ステップＳＦ４）。
【０１２３】
つぎ、サーバ３は、レベルの変更があった場合（ステップＳＦ５：Ｙｅｓ）には、変数“上限価格”の値を変数“落札価格”に代入し、当該代入後の変数“落札価格”の値をＭＳへ報知する（ステップＳＦ６）。これにより、レベルが変わらない限り同一条件で、上限価格、下限価格そして上限価格と価格を変更しながらダッチオークションを繰り返す。
【０１２４】
一方、サーバ３は、レベルの変更がなかった場合（ステップＳＦ５：Ｎｏ）であって変数“下限価格”の値と変数“落札価格”の値とが等しかったとき（ステップＳＦ７：Ｙｅｓ）にはステップＳＦ６の処理へ戻り、そうでなかったとき（ステップＳＦ７：Ｎｏ）には、変数“落札価格の値から”変数“下げ幅”の値を減算し、当該減算後の変数“落札価格の値をＭＳへ報知する（ステップＳＦ８）。
【０１２５】
そして、サーバ３は、所定の更新時間Ｔだけまたは入札イベントが来るまで待機し（ステップＳＦ９）、更新時間Ｔが経過したらまたは入札イベントが来たらステップＳＦ２の処理へ戻る。
【０１２６】
以上、ダッチオークション入札者接続判定処理（その２）について説明したように、本システムでは、ユーザ発信処理（料金承諾）が無いとき、上限価格から下限価格に価格設定した後は入札価格を再度上限価格に戻す。
【０１２７】
以上、処理（その１）について説明したように、本システムでは呼制御プロトコルの拡張情報にオークション情報を付加するので、ファームウェアの改造は軽微である。また、本システムでは呼接続制御と連動させてオークション判定および回線割当を行う。また、本システムでは回線使用状況に連動したオークション判定を行う。さらに、本システムでは、回線使用率で決まる最低価格、発信希望者（入札者）の数および入札金額の組み合わせで通信料金を決定し、通信資源を割り当てる。
【０１２８】
［３−２．処理（その２）］
［３−２−１．呼制御プロトコルおよび切断制御プロトコル（その１）］
図１６は、図７および図８に示す本システムで行われる落札成功の場合の呼制御プロトコルおよび切断制御プロトコルの一例を示すシーケンス図である。なお、ここでは、上述した説明と同じものを省略する場合がある。
【０１２９】
まず、ユーザがＭＳ（移動端末）１０を操作してユーザ入力部１０ｃより発信番号および入札金額を設定し、発信操作を行うつまり発呼すると、ＭＳ１０は、ＢＴＳ２０との間で無線制御チャネルの設定を行い（ステップＳＧ１）、ＢＴＳ２０はＭＳＣ３０（呼制御部６０ａ）との間で有線制御チャネルの設定を行う（ステップＳＧ２）。
【０１３０】
つぎに、ＭＳ１０は、拡張情報（ＵＵＩ）として入札価格を含む呼設定（ＳＥＴＵＰ）をＢＴＳ２０へ発信し、ＢＴＳ２０はそれを受信する（ステップＳＧ３）。つぎに、ＢＴＳ２０は当該呼設定（ＳＥＴＵＰ）を呼制御部６０ａへ送信し、呼制御部６０ａはそれを受信する（ステップＳＧ４）。
【０１３１】
つぎに、呼制御部６０ａは、拡張情報として入札価格を含む呼設定および図１７に示す回線使用率計算テーブルに基づいて、無線回線使用率を計算する（ステップＳＧ５）。図１７は、回線使用率計算テーブルの一例を示す図である。回線使用率計算テーブルは、ＢＴＳグループとＢＴＳ番号と全チャネル数と使用チャネル数とを相互に関連付けてなるものである。ここで、ＢＴＳ番号は、エリア内に複数の基地局が設定されている場合を考慮して設けたものである。全チャネル数は基地局設置時に更新される。使用チャネル数は呼制御で更新される。
【０１３２】
図１６に戻り、呼制御部６０ａは、発信ＭＳ番号、入札価格および無線回線使用率を含む加入者接続照会を回線割当判定部６０ｂへ送信し、回線割当判定部６０ｂはそれを受信する（ステップＳＧ６）。
【０１３３】
つぎに、回線割当判定部６０ｂは、加入者接続照会に基づいて、［３−１．処理（その１）］で説明したオークション判定に対応する料金決定アルゴリズムを実行する（ステップＳＧ７）。
【０１３４】
つぎに、回線割当判定部６０ｂは、料金決定アルゴリズムで決定した落札結果（落札成功を示すもの）および落札価格を含む接続可否を呼制御部６０ａへ送信し、呼制御部６０ａはそれを受信する（ステップＳＧ８）。
【０１３５】
つぎに、呼制御部６０ａは有線通話チャネルの割当を行う（ステップＳＧ９）。
【０１３６】
つぎに、呼制御部６０ａは、落札結果（落札成功を示すもの）および落札価格を含む呼設定受付（ＣＡＬＬ  ＰＲＯＣ）をＢＴＳ２０へ送信し、ＢＴＳ２０はそれを受信する（ステップＳＧ１０）。
【０１３７】
つぎに、呼制御部６０ａは、呼設定（ＩＡＩ）をＧＭＳＣ４０へ送信し、ＧＭＳＣ４０はそれを受信する（ステップＳＧ１１）。
【０１３８】
つぎに、ＢＴＳ２０は無線通話チャネルの割当を行う（ステップＳＧ１２）。
【０１３９】
つぎに、ＢＴＳ２０は、落札結果（落札成功を示すもの）および落札価格を含む呼設定受付（ＣＡＬＬ  ＰＲＯＣ）をＭＳ１０へ送信し、ＭＳ１０はそれを受信する（ステップＳＧ１３）。
【０１４０】
つぎに、ＧＭＳＣ４０は呼出（ＡＣＭ）を呼制御部６０ａへ送信し、呼制御部６０ａはそれを受信する（ステップＳＧ１４）。つぎに、呼制御部６０ａは呼出（ＡＬＥＲＴ）をＢＴＳ２０へ送信し、ＢＴＳ２０はそれを受信する（ステップＳＧ１５）。つぎに、ＢＴＳ２０は呼出（ＡＬＥＲＴ）をＭＳ１０へ送信し、ＭＳ１０はそれを受信する（ステップＳＧ１６）。
【０１４１】
つぎに、ＧＭＳＣ４０は応答（ＡＮＤ）を呼制御部６０ａへ送信し、呼制御部６０ａはそれを受信する（ステップＳＧ１７）。つぎに、呼制御部６０ａは応答（ＣＯＮＮ）をＢＴＳ２０へ送信し、ＢＴＳ２０はそれを受信する（ステップＳＧ１８）。つぎに、ＢＴＳ２０は応答（ＣＯＮＮ）をＭＳ１０へ送信し、ＭＳ１０はそれを受信する（ステップＳＧ１９）。
【０１４２】
そして、ＭＳ１０は、終話すると、切断（ＤＩＳＣ）をＢＴＳ２０へ発信し、ＢＴＳ２０はそれを受信する（ステップＳＧ２０）。つぎに、ＢＴＳ２０は切断（ＤＩＳＣ）を呼制御部６０ａへ送信し、呼制御部６０ａはそれを受信する（ステップＳＧ２１）。
【０１４３】
つぎに、呼制御部６０ａは有線通話チャネルを開放する（ステップＳＧ２２）。
【０１４４】
つぎに、呼制御部６０ａは、発信ＭＳ番号および通話時間を含む加入者切断通知を回線割当判定部６０ｂへ送信し、回線割当判定部６０ｂはそれを受信する（ステップＳＧ２３）。
【０１４５】
つぎに、回線割当判定部６０ｂは、加入者切断通知に基づいて通話料金を計算する（ステップＳＧ２４）。
【０１４６】
つぎに、回線割当判定部６０ｂは、通話料金を含む料金通知を呼制御部６０ａへ送信し、呼制御部６０ａはそれを受信する（ステップＳＧ２５）。
【０１４７】
つぎに、回線割当判定部６０ｂは、通話料金を含む課金通知を課金情報管理部６０ｆへ送信し、課金情報管理部６０ｆはそれを受信する（ステップＳＧ２６）。
【０１４８】
つぎに、呼制御部６０ａは、通話料金を含む解放（ＲＥＬ）をＢＴＳ２０へ送信し、ＢＴＳ２０はそれを受信する（ステップＳＧ２７）。
【０１４９】
つぎに、呼制御部６０ａは切断をＧＭＳＣ４０へ送信し、ＧＭＳＣ４０はそれを受信する（ステップＳＧ２８）。
【０１５０】
つぎに、ＢＴＳ２０は無線通話チャネルを開放する（ステップＳＧ２９）。
【０１５１】
つぎに、ＢＴＳ２０は解放完了（ＲＥＬ＿ＣＯＭＰ）を呼制御部６０ａへ送信し、呼制御部６０ａはそれを受信する（ステップＳＧ３０）。
【０１５２】
つぎに、ＢＴＳ２０は、通話料金を含む解放（ＲＥＬ）をＭＳ１０へ送信し、ＭＳ１０はそれを受信する（ステップＳＧ３１）。
【０１５３】
最後に、ＭＳ１０は解放完了（ＲＥＬ＿ＣＯＭＰ）をＢＴＳ２０へ送信し、ＢＴＳ２０はそれを受信する（ステップＳＧ３２）。
【０１５４】
［３−２−２．呼制御プロトコルおよび切断制御プロトコル（その２）］
図１８は、図７および図８に示す本システムで行われる落札成功の場合の呼制御プロトコルおよび切断制御プロトコルの一例を示すシーケンス図である。なお、ここでは、上述した説明と同じものを省略する場合がある。
【０１５５】
まず、ＢＴＳ２０は、拡張情報として現在落札価格照会を含む情報（ＩＮＦＯ）を呼制御部６０ａへ送信し、呼制御部６０ａはそれを受信する（ステップＳＨ１）。
【０１５６】
つぎに、呼制御部６０ａは現在落札価格照会を回線割当判定部６０ｂへ送信し、回線割当判定部６０ｂはそれを受信する（ステップＳＨ２）。
【０１５７】
つぎに、回線割当判定部６０ｂは現在落札価格を呼制御部６０ａへ送信し、呼制御部６０ａはそれを受信する（ステップＳＨ３）。
【０１５８】
つぎに、呼制御部６０ａは、拡張情報として現在落札価格を含む情報（ＩＮＦＯ）をＢＴＳ２０へ送信し、ＢＴＳ２０はそれを受信する（ステップＳＨ４）。
【０１５９】
つぎに、ＢＴＳ２０は、拡張情報として現在落札価格を含む報知情報をＭＳ１０へ送信し、ＭＳ１０はそれを受信する（ステップＳＨ５）。
【０１６０】
つぎに、ユーザがＭＳ１０を操作してユーザ入力部１０ｃより発信番号および入札金額を設定し、発信操作を行うつまり発呼すると、ＭＳ１０はＢＴＳ２０との間で無線制御チャネルの設定を行い（ステップＳＨ６）、ＢＴＳ２０はＭＣＣ（基地局制御装置）との間で有線制御チャネルの設定を行い（ステップＳＨ７）、ＭＣＣはＭＳＣ３０（呼制御部６０ａ）との間で有線制御チャネルの設定を行う（ステップＳＨ８）。
【０１６１】
つぎに、ＭＳ１０は、拡張情報として入札価格を含む呼設定（ＳＥＴＵＰ）を呼制御部６０ａへ発信し、呼制御部６０ａはそれを受信する（ステップＳＨ９）。
【０１６２】
つぎに、呼制御部６０ａは、呼設定に基づいてＶＬＲを参照して加入者認証を行う（ステップＳＨ１０）。
【０１６３】
ここで、図１８に示すステップＳＨ１１からステップＳＨ１４までの説明は、図１６に示すステップＳＧ５からステップＳＧ８までと同じであるため省略する。
【０１６４】
図１８の説明に戻り、呼制御部６０ａは、無線使用チャネル数を１だけインクリメントする（ステップＳＨ１５）。
【０１６５】
つぎに、呼制御部６０ａは有線通話チャネルの割当を行う（ステップＳＨ１６）。
【０１６６】
つぎに、呼制御部６０ａは、落札結果（落札成功を示すもの）および落札価格を含む呼設定受付（ＣＡＬＬ  ＰＲＯＣ）をＭＣＣへ送信し、ＭＣＣはそれを受信する（ステップＳＨ１７）。
【０１６７】
つぎに、呼制御部６０ａは、呼設定（ＩＡＩ）をＧＭＳＣ４０へ送信し、ＧＭＳＣ４０はそれを受信する（ステップＳＨ１８）。
【０１６８】
つぎに、ＭＣＣは有線通話チャネルの割当を行う（ステップＳＨ１９）。
【０１６９】
つぎに、ＭＣＣは、落札結果（落札成功を示すもの）および落札価格を含む呼設定受付（ＣＡＬＬ  ＰＲＯＣ）をＢＴＳ２０へ送信し、ＢＴＳ２０はそれを受信する（ステップＳＨ２０）。
【０１７０】
つぎに、ＢＴＳ２０は無線通話チャネルの割当を行う（ステップＳＨ２１）。
【０１７１】
つぎに、ＢＴＳ２０は、落札結果（落札成功を示すもの）および落札価格を含む呼設定受付（ＣＡＬＬ  ＰＲＯＣ）をＭＳ１０へ送信し、ＭＳ１０はそれを受信する（ステップＳＨ２２）。
【０１７２】
つぎに、ＧＭＳＣ４０は呼出（ＡＣＭ）を呼制御部６０ａへ送信し、呼制御部６０ａはそれを受信する（ステップＳＨ２３）。つぎに、呼制御部６０ａは呼出（ＡＬＥＲＴ）をＭＳ１０へ送信し、ＭＳ１０はそれを受信する（ステップＳＨ２４）。
【０１７３】
つぎに、ＧＭＳＣ４０は応答（ＡＮＤ）を呼制御部６０ａへ送信し、呼制御部６０ａはそれを受信する（ステップＳＨ２５）。つぎに、呼制御部６０ａは応答（ＣＯＮＮ）をＭＳ１０へ送信し、ＭＳ１０はそれを受信する（ステップＳＨ２６）。
【０１７４】
そして、ＭＳ１０は、終話すると、切断（ＤＩＳＣ）を呼制御部６０ａへ発信し、呼制御部６０ａはそれを受信する（ステップＳＨ２７）。
【０１７５】
つぎに、呼制御部６０ａは有線通話チャネルを開放する（ステップＳＨ２８）。
【０１７６】
つぎに、呼制御部６０ａは無線使用チャネル数を１だけディクリメントする（ステップＳＨ２９）。
【０１７７】
ここで、図１８に示すステップＳＨ３０からステップＳＨ３３までの説明は、図１６に示すステップＳＧ２３からステップＳＧ２６までと同じであるため省略する。
【０１７８】
図１８の説明に戻り、呼制御部６０ａは、通話料金を含む解放（ＲＥＬ）をＭＣＣへ送信し、ＭＣＣはそれを受信する（ステップＳＨ３４）。
【０１７９】
つぎに、呼制御部６０ａは切断をＧＭＳＣ４０へ送信し、ＧＭＳＣ４０はそれを受信する（ステップＳＨ３５）。
【０１８０】
つぎに、ＭＣＣは有線通話チャネルを開放する（ステップＳＨ３６）。
【０１８１】
つぎに、ＭＣＣは解放完了（ＲＥＬ＿ＣＯＭＰ）を呼制御部６０ａへ送信し、呼制御部６０ａはそれを受信する（ステップＳＨ３７）。
【０１８２】
つぎに、ＭＣＣは、通話料金を含む解放（ＲＥＬ）をＢＴＳ２０へ送信し、ＢＴＳ２０はそれを受信する（ステップＳＨ３８）。
【０１８３】
つぎに、ＢＴＳ２０は無線通話チャネルを開放する（ステップＳＨ３９）。
【０１８４】
つぎに、ＢＴＳ２０は解放完了（ＲＥＬ＿ＣＯＭＰ）をＭＣＣへ送信し、ＭＣＣはそれを受信する（ステップＳＨ４０）。
【０１８５】
つぎに、ＢＴＳ２０は、通話料金を含む解放（ＲＥＬ）をＭＳ１０へ送信し、ＭＳ１０はそれを受信する（ステップＳＨ４１）。
【０１８６】
最後に、ＭＳ１０は解放完了（ＲＥＬ＿ＣＯＭＰ）をＢＴＳ２０へ送信し、ＢＴＳ２０はそれを受信する（ステップＳＨ４２）。
【０１８７】
なお、呼制御部６０ａは、図１９に示すようにステップＳＨ１４で落札失敗を示す落札結果を含む接続可否を受信した場合は、当該落札結果を含む解放完了（ＲＥＬ＿ＣＯＭＰ）をＭＳ１０へ送信し、ＭＳ１０はそれを受信する（ステップＳＨ４３）。図１９は、図７および図８に示す本システムで行われる落札失敗の場合の呼制御プロトコルおよび切断制御プロトコルの一例を示すシーケンス図である。
【０１８８】
［３−２−３．呼制御プロトコルおよび切断制御プロトコル（その３）］
図２０は、図７および図８に示す本システムで行われる再入札して通話継続する場合の呼制御プロトコルおよび切断制御プロトコルの一例を示すシーケンス図である。なお、ここでは、上述した説明と同じものを省略する場合がある。
【０１８９】
まず、ＢＴＳ２０は、拡張情報として現在落札価格照会を含む情報（ＩＮＦＯ）を呼制御部６０ａへ送信し、呼制御部６０ａはそれを受信する（ステップＳＩ１）。
【０１９０】
つぎに、呼制御部６０ａは現在落札価格照会を回線割当判定部６０ｂへ送信し、回線割当判定部６０ｂはそれを受信する（ステップＳＩ２）。
【０１９１】
つぎに、回線割当判定部６０ｂは現在落札価格を呼制御部６０ａへ送信し、呼制御部６０ａはそれを受信する（ステップＳＩ３）。
【０１９２】
つぎに、呼制御部６０ａは、拡張情報として現在落札価格を含む情報（ＩＮＦＯ）をＢＴＳ２０へ送信し、ＢＴＳ２０はそれを受信する（ステップＳＩ４）。
【０１９３】
つぎに、ＢＴＳ２０は、拡張情報として現在落札価格を含む報知情報をＭＳ１０へ送信し、ＭＳ１０はそれを受信する（ステップＳＩ５）。
【０１９４】
ここで、図２０に示すステップＳＩ６からステップＳＩ２６までの説明は、図１８に示すステップＳＨ６からステップＳＨ２６までと同じであるため省略する。
【０１９５】
図２０の説明に戻り、呼制御部６０ａは通話開始通知を回線割当判定部６０ｂへ送信し、回線割当判定部６０ｂはそれを受信すると共にタイマを設定する（ステップＳＩ２７）。
【０１９６】
つぎに、回線割当判定部６０ｂはタイマが満了すると現在落札価格を呼制御部６０ａへ送信し、呼制御部６０ａはそれを受信する（ステップＳＩ２８）。
【０１９７】
つぎに、呼制御部６０ａは、拡張情報として現在落札価格を含む情報（ＩＮＦＯ）をＢＴＳ２０へ送信し、ＢＴＳ２０はそれを受信する（ステップＳＩ２９）。
【０１９８】
つぎに、ＢＴＳ２０は、拡張情報として現在落札価格を含む報知情報をＭＳ１０へ送信し、ＭＳ１０はそれを受信する（ステップＳＩ３０）。
【０１９９】
つぎに、ユーザがＭＳ１０を操作してユーザ入力部１０ｃより通話継続を指示する、つまり再入札すると、ＭＳ１０は、拡張情報として再入札価格を含む情報（ＩＮＦＯ）を呼制御部６０ａへ送信し、呼制御部６０ａはそれを受信する（ステップＳＩ３１）。
【０２００】
つぎに、呼制御部６０ａは、発信ＭＳ番号、再入札価格、無線回線使用率および再入札であることの通知を含む加入者接続照会を回線割当判定部６０ｂへ送信し、回線割当判定部６０ｂはそれを受信する（ステップＳＩ３２）。
【０２０１】
ここで、図２０に示すステップＳＩ３３の説明は、上述したステップＳＩ１３と同じであるため省略する。
【０２０２】
図２０の説明に戻り、回線割当判定部６０ｂは、料金決定アルゴリズムで決定した落札結果（落札成功を示すもの）および落札価格を含む接続可否を呼制御部６０ａへ送信すると共に通話継続する度にタイマを設定し、呼制御部６０ａはそれを受信する（ステップＳＩ３４）。
【０２０３】
つぎに、呼制御部６０ａは、拡張情報として落札結果（落札成功を示すもの）および落札価格を含む情報（ＩＮＦＯ）をＭＳ１０へ送信し、ＭＳ１０はそれを受信する（ステップＳＩ３５）。これにより、ＭＳ１０は通話を継続することができる。
【０２０４】
ここで、図２０に示すステップＳＩ３６からステップＳＩ４３までの説明は、図１８に示すステップＳＨ２７からステップＳＨ３４までと同じであるため省略する。
【０２０５】
また、図２０に示すステップＳＩ４４からステップＳＩ５０までの説明は、図１８に示すステップＳＨ３６からステップＳＨ４２までと同じであるため省略する。
【０２０６】
なお、ＭＳ１０は、図２１に示すように再入札せずに通話切断のため終話する場合は、図２０に示すステップＳＩ３１からステップＳＩ３５までの処理は行われずにステップＳＩ３６以降の処理が行われる。図２１は、図７および図８に示す本システムで行われる再入札せずに通話切断する場合の呼制御プロトコルおよび切断制御プロトコルの一例を示すシーケンス図である。
【０２０７】
また、図２２に示すように再入札せずに通話切断のため終話する場合は、図２０に示すステップＳＩ３１からステップＳＩ３５までの処理は行われずに、以下に説明する図２２に示すステップＳＩ５１からステップＳＩ６５までの処理が行われる。図２２は、図７および図８に示す本システムで行われる再入札せずに通話切断する場合の呼制御プロトコルおよび切断制御プロトコルの一例を示すシーケンス図である。
【０２０８】
回線割当判定部６０ｂは、タイマ満了から一定時間、再入札情報を受信できなかった場合には、通話料金を計算し（ステップＳＩ５１）、当該計算した通話料金を含む料金通知および切断指示を呼制御部６０ａへ送信し、呼制御部６０ａはそれを受信する（ステップＳＩ５２）。
【０２０９】
つぎに、呼制御部６０ａは切断（ＤＩＳＣ）をＭＳ１０へ送信し、ＭＳ１０はそれを受信する（ステップＳＩ５３）。
【０２１０】
つぎに、ＭＳ１０は解放（ＲＥＬ）をＢＴＳ２０へ送信し、ＢＴＳ２０はそれを受信する（ステップＳＩ５４）。
【０２１１】
つぎに、ＢＴＳ２０は解放完了（ＲＥＬ＿ＣＯＭＰ）をＭＳ１０へ送信し、ＭＳ１０はそれを受信する（ステップＳＩ５５）。
【０２１２】
つぎに、ＢＴＳ２０は無線通話チャネルを開放する（ステップＳＩ５６）。
【０２１３】
つぎに、ＢＴＳ２０は解放（ＲＥＬ）をＭＣＣへ送信し、ＭＣＣはそれを受信する（ステップＳＩ５７）。
【０２１４】
つぎに、ＭＣＣは解放完了（ＲＥＬ＿ＣＯＭＰ）をＢＴＳ２０へ送信し、ＢＴＳ２０はそれを受信する（ステップＳＩ５８）。
【０２１５】
つぎに、ＭＣＣは有線通話チャネルを開放する（ステップＳＩ５９）。
【０２１６】
つぎに、ＭＣＣは解放（ＲＥＬ）を呼制御部６０ａへ送信し、呼制御部６０ａはそれを受信する（ステップＳＩ６０）。
【０２１７】
つぎに、呼制御部６０ａは解放完了（ＲＥＬ＿ＣＯＭＰ）をＭＣＣへ送信し、ＭＣＣはそれを受信する（ステップＳＩ６１）。
【０２１８】
つぎに、呼制御部６０ａは有線通話チャネルを開放する（ステップＳＩ６２）。
【０２１９】
つぎに、呼制御部６０ａは無線使用チャネル数を１だけディクリメントする（ステップＳＩ６３）。
【０２２０】
つぎに、呼制御部６０ａは、発信ＭＳ番号および通話時間を含む加入者切断通知を回線割当判定部６０ｂへ送信し、回線割当判定部６０ｂはそれを受信する（ステップＳＩ６４）。
【０２２１】
最後に、回線割当判定部６０ｂは通話料金を含む課金通知を課金情報管理部６０ｆへ送信し、課金情報管理部６０ｆはそれを受信する（ステップＳＩ６５）。
【０２２２】
［３−２−４．呼制御プロトコルおよび切断制御プロトコル（その４）］
図２３は、図７および図８に示す本システムで行われる落札成功の場合の呼制御プロトコルおよび切断制御プロトコルの一例を示すシーケンス図である。なお、ここでは、上述した説明と同じものを省略する場合がある。
【０２２３】
まず、ユーザがＭＳ１０を操作してユーザ入力部１０ｃより発信番号および入札金額を設定し、発信操作を行うつまり発呼すると、ＭＳ１０はＢＴＳ２０との間で無線制御チャネルの設定を行い（ステップＳＪ１）、ＢＴＳ２０はＭＣＣ（基地局制御装置）との間で有線制御チャネルの設定を行い（ステップＳＪ２）、ＭＣＣはＭＳＣ３０との間で有線制御チャネルの設定を行う（ステップＳＪ３）。
【０２２４】
つぎに、ＭＳ１０は、拡張情報として入札価格を含む呼設定（ＳＥＴＵＰ）をＭＳＣ３０へ発信し、ＭＳＣ３０はそれを受信する（ステップＳＪ４）。
【０２２５】
つぎに、ＭＳＣ３０は、呼設定に基づいて加入者認証を行う（ステップＳＪ５）。
【０２２６】
つぎに、ＭＳＣ３０は、拡張情報として入札価格および発信基地局を含む呼設定（ＳＥＴＵＰ）を呼制御部６０ａへ送信し、呼制御部６０ａはそれを受信する（ステップＳＪ６）。
【０２２７】
つぎに、呼制御部６０ａは、呼設定に基づいて加入者利用情報データベースを参照して加入者認証を行う（ステップＳＪ７）。
【０２２８】
つぎに、呼制御部６０ａは、呼設定および図１８に示す回線使用率計算テーブルに基づいて、回線使用率を計算する（ステップＳＪ８）。
【０２２９】
つぎに、呼制御部６０ａは、発信ＭＳ番号、入札価格および回線使用率を含む加入者接続照会を回線割当判定部６０ｂへ送信し、回線割当判定部６０ｂはそれを受信する（ステップＳＪ９）。
【０２３０】
つぎに、回線割当判定部６０ｂは、加入者接続照会に基づいて、［３−１．処理（その１）］で説明したオークション判定に対応する料金決定アルゴリズムを実行する（ステップＳＪ１０）。
【０２３１】
つぎに、回線割当判定部６０ｂは、料金決定アルゴリズムで決定した落札結果（落札成功を示すもの）および落札価格を含む接続可否を呼制御部６０ａへ送信し、呼制御部６０ａはそれを受信する（ステップＳＪ１１）。
【０２３２】
つぎに、呼制御部６０ａは、落札結果（落札成功を示すもの）および落札価格を含む呼設定受付（ＣＡＬＬ  ＰＲＯＣ）をＭＳＣ３０へ送信し、ＭＳＣ３０はそれを受信する（ステップＳＪ１２）。
【０２３３】
つぎに、呼制御部６０ａは、使用チャネル数を１だけインクリメントする（ステップＳＪ１３）。
【０２３４】
つぎに、ＭＳＣ３０は有線通話チャネルの割当を行う（ステップＳＪ１４）。
【０２３５】
つぎに、ＭＳＣ３０は、落札結果（落札成功を示すもの）および落札価格を含む呼設定受付（ＣＡＬＬ  ＰＲＯＣ）をＭＣＣへ送信し、ＭＣＣはそれを受信する（ステップＳＪ１５）。
【０２３６】
つぎに、ＭＳＣ３０は、呼設定（ＩＡＩ）をＧＭＳＣ４０へ送信し、ＧＭＳＣ４０はそれを受信する（ステップＳＪ１６）。
【０２３７】
ここで、図２３に示すステップＳＪ１７からステップＳＪ２０までの説明は、図１８に示すステップＳＨ１９からステップＳＨ２２までと同じであるため省略する。
【０２３８】
図２３の説明に戻り、ＧＭＳＣ４０は呼出（ＡＣＭ）をＭＳＣ３０へ送信し、ＭＳＣ３０はそれを受信する（ステップＳＪ２１）。つぎに、ＭＳＣ３０は呼出（ＡＬＥＲＴ）をＭＳ１０へ送信し、ＭＳ１０はそれを受信する（ステップＳＪ２２）。
【０２３９】
つぎに、ＧＭＳＣ４０は応答（ＡＮＤ）をＭＳＣ３０へ送信し、ＭＳＣ３０はそれを受信する（ステップＳＪ２３）。つぎに、ＭＳＣ３０は応答（ＣＯＮＮ）をＭＳ１０へ送信し、ＭＳ１０はそれを受信する（ステップＳＪ２４）。
【０２４０】
そして、ＭＳ１０は、終話すると、切断（ＤＩＳＣ）をＭＳＣ３０へ発信し、ＭＳＣ３０はそれを受信する（ステップＳＪ２５）。
【０２４１】
つぎに、ＭＳＣ３０は、拡張情報として発信基地局および通話時間を含む切断（ＤＩＳＣ）を呼制御部６０ａへ送信し、呼制御部６０ａはそれを受信する（ステップＳＪ２６）。
【０２４２】
つぎに、呼制御部６０ａは、使用チャネル数を１だけディクリメントする（ステップＳＪ２７）。
【０２４３】
ここで、図２３に示すステップＳＪ２８からステップＳＪ３１までの説明は、図１８に示すステップＳＨ３０からステップＳＨ３３までと同じであるため省略する。
【０２４４】
図２３の説明に戻り、呼制御部６０ａは、通話料金を含む解放（ＲＥＬ）をＭＳＣ３０へ送信し、ＭＳＣ３０はそれを受信する（ステップＳＪ３２）。
【０２４５】
つぎに、ＭＳＣ３０は有線通話チャネルを開放する（ステップＳＪ３３）。
【０２４６】
つぎに、ＭＳＣ３０は解放完了（ＲＥＬ＿ＣＯＭＰ）を呼制御部６０ａへ送信し、呼制御部６０ａはそれを受信する（ステップＳＪ３４）。
【０２４７】
つぎに、ＭＳＣ３０は切断をＧＭＳＣ４０へ送信し、ＧＭＳＣ４０はそれを受信する（ステップＳＪ３５）。
【０２４８】
つぎに、ＭＳＣ３０は、通話料金を含む解放（ＲＥＬ）をＭＣＣへ送信し、ＭＣＣはそれを受信する（ステップＳＪ３６）。
【０２４９】
つぎに、ＭＣＣは有線通話チャネルを開放する（ステップＳＪ３７）。
【０２５０】
つぎに、ＭＣＣは解放完了（ＲＥＬ＿ＣＯＭＰ）をＭＳＣ３０へ送信し、ＭＳＣ３０はそれを受信する（ステップＳＪ３８）。
【０２５１】
ここで、図２３に示すステップＳＪ３９からステップＳＪ４３までの説明は、図１８に示すステップＳＨ３８からステップＳＨ４２までと同じであるため省略する。
【０２５２】
なお、呼制御部６０ａは、図２４に示すように、ステップＳＪ１１で落札失敗を示す落札結果を含む接続可否を受信した場合は、当該落札結果を含む解放完了（ＲＥＬ＿ＣＯＭＰ）をＭＳＣ３０へ送信し、ＭＳＣ３０はそれを受信し（ステップＳＪ４４）、ＭＳＣ３０は当該落札結果を含む解放完了（ＲＥＬ＿ＣＯＭＰ）をＭＳ１０へ送信し、ＭＳ１０はそれを受信する（ステップＳＪ４５）。図２４は、図７および図８に示す本システムで行われる落札失敗の場合の呼制御プロトコルおよび切断制御プロトコルの一例を示すシーケンス図である。
【０２５３】
［３−２−５．呼制御プロトコルおよび切断制御プロトコル（その５）］
図２５は、図７および図８に示す本システムで行われる落札成功の場合の呼制御プロトコルおよび切断制御プロトコルの一例を示すシーケンス図である。なお、ここでは、上述した説明と同じものを省略する場合がある。
【０２５４】
まず、図２５に示すステップＳＫ１からステップＳＫ８までの説明は、図２０に示すステップＳＩ１からステップＳＩ８までと同じであるため省略する。
【０２５５】
図２５の説明に戻り、ＭＳ１０は、入札価格情報を含まない通常の呼設定（ＳＥＴＵＰ）を呼制御部６０ａへ送信し、呼制御部６０ａはそれを受信する（ステップＳＫ９）。
【０２５６】
ここで、図２５に示すステップＳＫ１０およびステップＳＫ１１の説明は、図２０に示すステップＳＩ１０およびステップＳＩ１１と同じであるため省略する。
【０２５７】
図２５の説明に戻り、呼制御部６０ａは、発信ＭＳ番号および無線回線使用率を含む加入者接続照会（入札価格は含まない）を回線割当判定部６０ｂへ送信し、回線割当判定部６０ｂはそれを受信する（ステップＳＫ１２）。
【０２５８】
つぎに、回線割当判定部６０ｂは、加入者接続照会に基づいて、［３−１．処理（その１）］で説明したダッチオークション判定に対応する料金決定アルゴリズムを実行して、上限価格および下限価格を決定する（ステップＳＫ１３）。
【０２５９】
つぎに、回線割当判定部６０ｂは、上限価格および下限価格を含む料金情報（図示の料金情報１、料金情報２、・・・、料金情報ｎ）を、所定時間（図示のＴ1、Ｔ2、・・・、Ｔn-1）が経過する度に呼制御部６０ａへ送信し、呼制御部６０ａはそれを受信する（ステップＳＫ１４）。
【０２６０】
つぎに、呼制御部６０ａは、受信した料金情報（ＩＮＦＯ）をＭＳ１０へ送信し、ＭＳ１０はそれを受信する（ステップＳＫ１５）。
【０２６１】
つぎに、ＭＳ１０は、入札することがユーザにより決定されると、入札（ＩＮＦＯ）を呼制御部６０ａへ送信し、呼制御部６０ａはそれを受信する（ステップＳＫ１６）。
【０２６２】
つぎに、呼制御部６０ａは入札を回線割当判定部６０ｂへ送信し、回線割当判定部６０ｂはそれを受信する（ステップＳＫ１７）。
【０２６３】
つぎに、回線割当判定部６０ｂは入札価格確認を呼制御部６０ａへ送信し、呼制御部６０ａはそれを受信する（ステップＳＫ１８）。
【０２６４】
つぎに、呼制御部６０ａは入札価格確認（ＩＮＦＯ）をＭＳ１０へ送信し、ＭＳ１０はそれを受信する（ステップＳＫ１９）。
【０２６５】
つぎに、ＭＳ１０は、入札価格を承諾することがユーザにより決定されると、入札価格承諾（ＩＮＦＯ）を呼制御部６０ａへ送信し、呼制御部６０ａはそれを受信する（ステップＳＫ２０）。
【０２６６】
つぎに、呼制御部６０ａは入札価格承諾を回線割当判定部６０ｂへ送信し、回線割当判定部６０ｂはそれを受信する（ステップＳＫ２１）。
【０２６７】
つぎに、回線割当判定部６０ｂは、落札価格を含む接続許可を呼制御部６０ａへ送信し、呼制御部６０ａはそれを受信する（ステップＳＫ２２）。
【０２６８】
ここで、図２５に示すステップＳＫ２３からステップＳＫ３４までの説明は、図２０に示すステップＳＩ１５からステップＳＩ２６までと同じであるため省略する。
【０２６９】
また、図２５に示すステップＳＫ３５からステップＳＫ３９までの説明は、ステップＳＫ１からステップＳＫ５までと同じであるため省略する。
【０２７０】
また、図２５に示すステップＳＫ４０からステップＳＫ５９までの説明は、図２０に示すステップＳＩ３１からステップＳＩ５０までと同じであるため省略する。
【０２７１】
以上、処理（その２）について説明したように、本システムでは、ユーザがＭＳ１０を操作してユーザ入力部１０ｃより発信番号および入札金額を設定し発信操作を行うと、ＭＳ１０の呼制御部１０ａは、呼制御情報に発信番号と入札価格を付加して交換局６０の呼制御部６０ａに呼設定要求を行う。
【０２７２】
そして、呼制御部６０ａは、呼設定要求を受信するとその情報を呼設定要求メモリに記録する。そして、タイマ６０ｃより回線割当判定部６０ｂが起動されると、回線割当判定部６０ｂは、呼設定要求メモリから、発信要求中のＭＳ１０の台数およびその入札価格とを取得し、回線トラフィック管理部６０ｅからその時点の回線使用率を取得し、通話料金決定部６０ｄから回線使用率に対応する最低落札価格を取得する。
【０２７３】
そして、回線割当判定部６０ｂは、ＭＳ１０の台数、入札価格、回線使用率および最低落札価格に基づいて、通信回線を割り当てるＭＳ１０および落札価格を決定し、呼制御部６０ａへ通知する。また、回線割当判定部６０ｂは、通話を開始するＭＳ１０のＩＤと落札価格とを課金情報管理部６０ｆへ通知する。
【０２７４】
そして、呼制御部６０ａは、通信回線の割り当てが決定されたＭＳ１０に対して落札価格を付加した接続応答メッセージをＭＳ１０へ通知し、通話チャネルを確立すると共に、使用中の回線数の変化を回線トラフィック管理部６０ｅへ通知する。そして、ＭＳ１０は、接続応答を受け取ると、落札価格を表示部１０ｄに表示し、交換局６０と通話チャネルを確立する。そして、ＭＳ１０と交換局６０間の通話切断がＭＳ１０から要求された場合には、呼制御部６０ａは、使用回線数の変化を回線トラフィック管理部６０ｅへ通知すると共に、課金情報管理部６０ｆから通知された通話料金を付加した切断メッセージをＭＳ１０へ通知する。
【０２７５】
一方、呼制御部６０ａは、通信回線の割り当てが行われなかったＭＳ１０に対して落札価格を付加した接続拒否メッセージをＭＳ１０へ通知する。そして、ＭＳ１０は、接続拒否を受け取ると、呼設定の失敗と実際の落札価格を表示部１０ｄに表示する。
【産業上の利用可能性】
【０２７６】
本発明にかかる通信資源割当装置は、電気通信事業分野など産業上の様々な分野において有用であり、特に携帯電話事業分野に適している。
【図面の簡単な説明】
【０２７７】
【図１】本実施の形態の概要を示す図
【図２】回線混雑時に行われるオークションへの参加手順を示す図
【図３】本実施の形態で行うオークション判定の概要（その１）を示す図
【図４】回線使用率と最低価格との関係および入札条件テーブルを示す図
【図５】本実施の形態で行うオークション判定の概要（その２）を示す図
【図６】本システムの全体構成（その１）の一例を示す図
【図７】本システムの全体構成（その２）の一例を示す図
【図８】本システムの全体構成（その２）の一例を示す図
【図９】図６に示す本システムで行われる呼制御プロトコルの一例を示すシーケンス図
【図１０】図９に示すサーバで行われるオークション入札者接続判定処理の一例を示すフローチャート
【図１１】図９に示すサーバで行われるオークション入札判定処理の一例を示すフローチャート
【図１２】入札者判定テーブルの一例を示す図
【図１３】図９に示すサーバで行われるダッチオークション入札者接続判定処理（その１）の一例を示すフローチャート
【図１４】ダッチオークション用の入札者判定テーブルの一例を示す図
【図１５】図９に示すサーバで行われるダッチオークション入札者接続判定処理（その２）の一例を示すフローチャート
【図１６】図７および図８に示す本システムで行われる落札成功の場合の呼制御プロトコルおよび切断制御プロトコルの一例を示すシーケンス図
【図１７】回線使用率計算テーブルの一例を示す図
【図１８】図７および図８に示す本システムで行われる落札成功の場合の呼制御プロトコルおよび切断制御プロトコルの一例を示すシーケンス図
【図１９】図７および図８に示す本システムで行われる落札失敗の場合の呼制御プロトコルおよび切断制御プロトコルの一例を示すシーケンス図
【図２０】図７および図８に示す本システムで行われる再入札して通話継続する場合の呼制御プロトコルおよび切断制御プロトコルの一例を示すシーケンス図
【図２１】図７および図８に示す本システムで行われる再入札せずに通話切断する場合の呼制御プロトコルおよび切断制御プロトコルの一例を示すシーケンス図
【図２２】図７および図８に示す本システムで行われる再入札せずに通話切断する場合の呼制御プロトコルおよび切断制御プロトコルの一例を示すシーケンス図
【図２３】図７および図８に示す本システムで行われる落札成功の場合の呼制御プロトコルおよび切断制御プロトコルの一例を示すシーケンス図
【図２４】図７および図８に示す本システムで行われる落札失敗の場合の呼制御プロトコルおよび切断制御プロトコルの一例を示すシーケンス図
【図２５】図７および図８に示す本システムで行われる落札成功の場合の呼制御プロトコルおよび切断制御プロトコルの一例を示すシーケンス図
【符号の説明】
【０２７８】
１    ユーザ端末
１ａ    呼制御部
１ｂ    オークションアプリ
２    移動交換局
２ａ    呼制御部
３    サーバ
３ａ    呼制御部
３ｂ    オークション制御部
３ｃ    課金情報管理部
３ｄ    加入者利用情報データベース
４    ＶＬＲ
５    関門交換局
６    外部通信網
１０    移動端末
１０ａ    呼制御部
１０ｂ    入札価格メモリ
１０ｃ    ユーザ入力部
１０ｄ    表示部
２０    基地局
３０    移動交換局
４０    関門交換局
５０    他携帯網等
６０    交換局（基地局２０、移動交換局３０を含む）
６０ａ    呼制御部
６０ｂ    回線割当判定部
６０ｃ    タイマ
６０ｄ    通話料金決定部
６０ｅ    回線トラフィック管理部
６０ｆ    課金情報管理部
６０ｇ    入札者テーブル
【図１】
2010098639.tif 000003
【図２】
2010098639.tif 000004
【図３】
2010098639.tif 000005
【図４】
2010098639.tif 000006
【図５】
2010098639.tif 000007
【図６】
2010098639.tif 000008
【図７】
2010098639.tif 000009
【図８】
2010098639.tif 000010
【図９】
2010098639.tif 000011
【図１０】
2010098639.tif 000012
【図１１】
2010098639.tif 000013
【図１２】
2010098639.tif 000014
【図１３】
2010098639.tif 000015
【図１４】
2010098639.tif 000016
【図１５】
2010098639.tif 000017
【図１６】
2010098639.tif 000018
【図１７】
2010098639.tif 000019
【図１８】
2010098639.tif 000020
【図１９】
2010098639.tif 000021
【図２０】
2010098639.tif 000022
【図２１】
2010098639.tif 000023
【図２２】
2010098639.tif 000024
【図２３】
2010098639.tif 000025
【図２４】
2010098639.tif 000026
【図２５】
2010098639.tif 000027